(57)【要約】【課題】  従来の洗濯挟みの場合は、洗濯物を干す時に、開き部に押圧力を加えて、挟み部を開き維持しながら洗濯物を差し込んで閉じる必要があり、指の力が弱い老人等は洗濯物が多いと、この動作が苦痛であり、又、指の力は十分でも、洗濯物を差し込む時に片手が塞がり洗濯物を干す作業がやり難い。  洗濯物を外す時は、開き部に押圧力を加えて挟み部を開き維持しながら洗濯物を開放するが、開く押圧力が弱いと外し損じが起きる。【解決手段】  反転型洗濯挟みは，既に開いている開き部へ両手を使って洗濯物を差し込み、この開き部に、閉じる押圧力を片手で加えれば、一瞬に開き部は挟み部に入れ替わり、洗濯物は挟まれて固定される。  洗濯物を外す時は、入れ替わった開き部に、閉じる押圧力を片手で加えれば、一瞬に挟み部は開き部に入れ替わり、先に固定された洗濯物は瞬時に開放され、外し損じは起きない。【選択図】図１
2009183658.tif 000002
【特許請求の範囲】
【請求項１】
揺動支点を中心部に設置し、一方に挟み部が、他方に開き部が設けられ、該挟み部をバネ力により閉じる方向に押圧力を付与し得る洗濯挟みであって、
概略Ｓ形に形成され、かつ両端を少し延長後に各々端部を内側に曲げたバネと、
上記揺動支点、挟み部及び開き部がそれぞれ形成された一対の揺動板を有し、各揺動板の端に上記バネの両端を系止すると挟み部と開き部が構成され、前記各揺動板の端の系止部を直線で結んだ線が、開き部を閉じる時に揺動支点を通過する。前記直線で結んだ線が揺動支点を通過すると同時に、挟み部と開き部は互いに入れ替わり、反対の状態となる洗濯挟み本体と
を具備することを特徴とする洗濯挟み。
【請求項２】
請求項１に記載の洗濯挟みにおいて、前記洗濯挟み本体の中心部より片端に偏って揺動支点を設置し、揺動動作後に支点を挟んで大きく開く側があり、左右の開きに大小の差異が起きるように揺動板が形成されていることを特徴とする洗濯挟み。
【請求項３】
請求項１又は２に記載の洗濯挟みは、前記洗濯挟みの本体がプラスチック製で、前記バネが金属製である事を特徴とする洗濯挟み。
【発明の詳細な説明】
【技術分野】
【０００１】  本発明は、洗濯物を干す時に用いる洗濯挟みに関する。
【背景技術】
【０００２】  従来の洗濯挟みは一方が挟み部で他方が開き部となり、挟み部が常に閉じる状態で、開き部に押圧力を加え、挟み部を開いて維持しながら洗濯物を差し込み後に押圧力を開放して、洗濯物を挟む。  他に、挟み部を一時的に開いた状態を保持できる機能を備えたものが知られている。【０００３】  前記で、一時的に開いた状態を保持できる洗濯挟みは、本体に設置されたバネが挟み部の開閉動作時に設置位置を移動することで開いた状態を保持でき、洗濯物を干す時に片手で操作が可能になる。（例えば、特許文献１参照）。
【特許文献１】特開２００６−１９２０７６（Ｐ２００６−１９２０７６Ａ）
【発明の開示】
【発明が解決しようとする課題】
【０００４】  しかしながら、上述した洗濯挟みの場合には、洗濯物を干す時に、開き部に押圧力を加えて、挟み部を開いて維持しながら洗濯物を差し込んで閉じる必要があり、指の力が弱い老人等は洗濯物が多いと、この動作が苦痛であり、又、指の力は十分でも、洗濯物を差し込む時に片手が塞がり洗濯物を干す作業がやり難い。  洗濯物を外す時は、開き部に押圧力を加えて、挟み部を開いて維持しながら洗濯物を開放するが、開く押圧力が弱いと外し損じが起きる。【０００５】  上述した洗濯挟みで、一時的に開いた状態を保持できる場合は、挟み部を開く時のバネの設置位置を平面に沿って滑らせ、移動させる部位があり、滑り面の耐久性に問題が発生し易い難点がある。
【課題を解決するための手段】
【０００６】  請求項１の発明の洗濯挟みは、揺動支点を中心部に設置し、一方に挟み部が、他方に開き部が設けられ、該挟み部をバネ力により閉じる方向に押圧力を付与し得る洗濯挟みであって、概略Ｓ形に形成され、かつ両端を少し延長後に各々端部を内側に曲げたバネと、上記揺動支点、挟み部及び開き部がそれぞれ形成された一対の揺動板を有し、各揺動板の端に上記バネの両端を系止すると挟み部と開き部が構成され、前記各揺動板の端の系止部を直線で結んだ線が、開き部を閉じる時に揺動支点を通過する。前記直線で結んだ線が揺動支点を通過すると同時に、挟み部と開き部は互いに入れ替わり、反対の状態となる洗濯挟み本体とを具備することを特徴とする洗濯挟み。【０００７】  請求項２の発明の洗濯挟みは、請求項１に記載の洗濯挟みにおいて、前記洗濯挟み本体の中心部より片端に偏って揺動支点を設置し、揺動動作後に支点を挟んで大きく開く側があり、左右の開きに大小の差異が起きるように揺動板が形成されていることを特徴とする洗濯挟み。【０００８】  請求項３の発明の洗濯挟みは、請求項１又は２に記載の洗濯挟みは、前記洗濯挟みの本体がプラスチック製で、前記バネが金属製である事を特徴とする。
【発明の効果】
【０００９】  請求項１及び３の発明による場合は，既に開いている開き部へ両手を使って洗濯物を差し込み、この開き部に、維持せずに閉じる押圧力を片手で加えれば、一瞬に開き部は挟み部に入れ替わり、洗濯物は挟まれて固定される。  洗濯物を外す時は、入れ替わった開き部に、維持せずに閉じる押圧力を片手で加えれば、一瞬に挟み部は開き部に入れ替わり，先に固定された洗濯物は瞬時に開放され、外し損じは起きない。【００１０】  請求項２の発明による洗濯挟みは、洗濯挟みの揺動支点が中心部より片偏って設置した事で揺動支点から遠い側が大きく、広く開き、厚手の洗濯物が容易に挟める。【００１１】  上述の洗濯挟みは、バネの設置位置を平面に沿って滑らせ、移動させる部位は無く耐久性に問題は発生し難い。
【発明を実施するための最良の形態】
【００１２】  以下に、本発明の実施の形態図１〜図５に基づいて説明する。
【実施例】
【００１３】  図１は反転型の洗濯挟みを示す正面図と右側面図で、仮に揺動板が中間停止した場合を示し、図２は揺動動作後に右側へ開き部Ｍ、左側へ挟み部Ｇが出来た状態を示し、図３は右側へ挟み部Ｇ、左側へ開き部Ｍが維持された状態を示す。【００１４】  図１は、一対の揺動板Ａ１と揺動板Ｂ２の本体を有し、バネ３を各揺動板の端に系止した状態で、この場合はバネ３が揺動動作中に最大に伸びた時であり、通常の揺動動作では維持されない。
図２及び図３は、挟み部Ｇと開き部Ｍが揺動動作によって交互に入れ替わった状態を示す。【００１５】  図２及び図３で揺動板がいずれかに揺動する動作は、バネ３が系止された突起Ａ４と突起Ａ５を直線１２が、揺動支点１１を境に片方へ偏った側にバネ３も移動し、挟み部Ｇと開き部Ｍが維持された状態を示す。  なお、バネ３の概略Ｓ形には、これに類するＺ字状やＬ字状も含まれる。【００１６】  図４は、揺動板の詳細図で、凸支点６と凹支点７は、一対の揺動板Ａ１と揺動板Ｂ２の各々に対し設置され、図２及び図３の揺動支点部１１は２組のはめ合い部８を反対向きに設置し、図１の様に本体を構成るので、左右の揺動方向に対し均等に、はめ合い部８が維持される。  更に、凹支点７で、はめ合い部８の溝は本体の構成時に凸支点６が挿入され、揺動板Ａ１と揺動板Ｂ２の横方向の位置ずれを防止する。【００１７】  図４で、凸支点６は揺動板を樹脂成型する場合に金型構造の都合で、はめ合い部８の溝とのはめ合い部分が少なくなり、横方向の位置ずれ防止が不安定となる。  この補強の目的で凸支点６の幅方向に肉盛り９で凹支点７と接する部分を増やし、はめ合い部８の溝のはめ合い部分を安定させ、横方向の位置ずれ防止をさせる。【００１８】  図２で、揺動板の開き部Ｍを外力により更に開こうとすると、ストッパー  １０が、図４の凸支点６に当たり開かないので、はめ合い部８は外れず揺動板Ａ１と揺動板Ｂ２の本体構成が維持される。【００１９】  図４で、揺動板Ａ１と揺動板Ｂ２の中心部分に隙間１３を設ける。  図２及び図３で、この隙間１３にバネ３を挿入し突起Ａ４と突起Ｂ５へ系止することで、本体構成時の、凸支点６と凹支点７のはめ合い部８の組み合わせを保持し、挟み部Ｇの押圧力を発生させる。【００２０】  図５は揺動板Ｃ１００と、揺動板Ｄ１０１の揺動支点Ｅ１０３を中心部より片端に偏って設置し、揺動動作後に揺動支点Ｅ１０３を挟んで、開き部小Ｂ２よりも開き部大Ｂ１の方が大きく開くので、洗濯物を挟む部分が大きく、広くできる。  前記の反転型洗濯挟みと構造は同一であり、揺動支点Ｅ１０３の位置が中心部分より片偏っている事が相違点である。
【図面の簡単な説明】
【００２１】
【図１】本発明の反転型洗濯挟みを示す正面図と右側面図で、揺動動作の中間状態を示す。
【図２】本発明の反転型洗濯挟みで、右側が開き部、左側が挟み部の状態を示す。
【図３】本発明の反転型洗濯挟みで、右側が挟み部、左側が開き部の状態を示す。
【図４】２種類の揺動板で、金型による樹脂成形する際に適した部品形状の詳細図を示す。
【図５】反転型洗濯挟みで、揺動支点が中心部より片偏った設定の状態を示す。
【符号の説明】
【００２１】  １      揺動板Ａ
２      揺動板Ｂ
３      バネ
４      突起Ａ
５      突起Ｂ
６      凸支点
７      凹支点
８      はめ合い部
９      肉盛り
１０    ストッパー
１１    揺動支点
１２    直線Ａ
１３    隙間
１０１  揺動板Ｃ
１０２  揺動板Ｄ
１０３  揺動支点Ｅ
Ｇ      挟み部
Ｍ      開き部
Ｂ１    開き部大
Ｂ２    開き部小
【図１】
2009183658.tif 000003
【図２】
2009183658.tif 000004
【図３】
2009183658.tif 000005
【図４】
2009183658.tif 000006
【図５】
2009183658.tif 000007